(57)【要約】【課題】複数の通信回線に対応可能な携帯通信装置において、ユーザが予め選択しておいた通信回線に限定した送受信を容易化する。【解決手段】第１筐体２が第２筐体３に対して特定の方向にスライドした逆スライド状態にある場合に、ユーザが選択した通信回線を使用して送受信を行う通信モードが設定される。【選択図】図１
2013201717.tif 000002
【特許請求の範囲】
【請求項１】
第１筐体と第２筐体とが互いにスライド可能に連結されており、
異なる通信回線の無線基地局にそれぞれ無線接続されて送信動作又は受信動作を行う複数の送受信部と、
上記送受信部のいずれか１つの受信動作に基づいて出力動作を行い、且つ、上記送受信部のいずれか１つを介した送信動作のための入力動作を行う入出力部と、
上記第１筐体が上記第２筐体に対して特定の方向にスライドした第１状態である場合、上記複数の送受信部のうち、選択された通信回線の送受信部と上記入出力部との間での信号授受を可能とし、非選択の通信回線の送受信部と上記入出力部との間での信号授受を不可能とする制御を行う接続制御部と、
を備えたことを特徴とする携帯通信装置。
【請求項２】
上記第１筐体が上記第２筐体に対して特定の方向以外の方向にスライドした第２状態である場合、上記接続制御部は、上記複数の送受信部の全てと上記入出力部との間での信号授受を可能とする制御を行うこと
を特徴とする請求項１に記載の携帯通信装置。
【請求項３】
上記接続制御部が、上記入出力部に上記複数の送受信部の１つを切り替えて接続する接続切替処理を、時間情報に基づいて行うように、
上記時間情報を管理する時間管理部を備えたこと
を特徴とする請求項１または２に記載の携帯通信装置。
【請求項４】
上記第１筐体および第２筐体の一方に、ユーザの入力操作を受け付ける操作部が設けられ、
上記第１筐体が上記第２筐体に対して上記特定の方向以外の方向にスライドした第２状態では、上記操作部が露出し、
上記第１筐体のスライドが上記第１状態から上記第２状態へと変化した場合に、上記接続制御部は、上記第１状態で選択されていた通信回線を使用するモードを、そのまま保持すること
を特徴とする請求項１から３のいずれか１項に記載の携帯通信装置。
【請求項５】
通信相手の宛先情報を記録するアドレス帳を通信回線ごとに対応付けて記憶するアドレス帳記憶部と、
表示画面とを備え、
上記入出力部は、上記送受信部と上記入出力部との間での信号授受が可能になった通信回線に対応付けられたアドレス帳のみが、上記表示画面に表示されるように、アドレス帳の表示処理を制御すること
を特徴とする請求項１から４のいずれか１項に記載の携帯通信装置。
【請求項６】
それぞれの通信回線を使用した発信履歴及び着信履歴を、通信回線ごとに対応付けて記憶する発着信履歴記憶部と、
表示画面とを備え、
上記入出力部は、上記送受信部と上記入出力部との間での信号授受が可能になった通信回線に対応付けられた発信履歴及び着信履歴が、上記表示画面に表示されるように、発信履歴及び着信履歴の表示処理を制御すること
を特徴とする請求項１から５のいずれか１項に記載の携帯通信装置。
【請求項７】
上記入出力部は、上記第１状態では、上記送受信部と上記入出力部との間での信号授受が不可能とされた他方の送受信部の着信履歴のみが、さらに上記表示画面に表示されるように、着信履歴の表示処理を制御すること
を特徴とする請求項６に記載の携帯通信装置。
【請求項８】
上記第１状態で露出し、ユーザの入力操作を受け付ける第１操作部と、
上記第１筐体が上記第２筐体に対して上記特定の方向以外の方向にスライドした第２状態で露出し、ユーザの入力操作を受け付ける第２操作部と
を備えたことを特徴とする請求項１から７のいずれか１項に記載の携帯通信装置。
【請求項９】
上記第１筐体は第１表示画面を備えているとともに、上記第２筐体は第２表示画面を備え、
上記第２筐体は、上記第１筐体の第１表示画面と反対側の背面に取り付けられ、
上記第２表示画面は、上記背面に対面し、
上記第２表示画面が、上記第１操作部および第２操作部としての機能も有していること
を特徴とする請求項８に記載の携帯通信装置。
【請求項１０】
第１筐体と第２筐体とが互いにスライド可能に連結された携帯通信装置であり、複数の通信回線のそれぞれを使用して送受信を行う通信モードを、上記通信回線のユーザ選択に応じて切り替える接続制御部を備えた携帯通信装置の制御方法であって、
上記接続制御部が、
上記第１筐体が上記第２筐体に対して特定の方向にスライドした第１状態かどうかを判定するステップと、
上記第１筐体が第１状態にあると判定したときに、上記通信モードを、ユーザが選択した通信回線を使用して送受信を行う通信モードに設定するステップと
を実行することを特徴とする携帯通信装置の制御方法。
【請求項１１】
請求項１〜９のいずれか１項に記載の携帯通信装置の各部として、コンピュータを機能させるための携帯通信装置の制御プログラム。
【請求項１２】
請求項１０に記載の携帯通信装置の制御方法における各ステップを、コンピュータに実行させるための携帯通信装置の制御プログラム。
【請求項１３】
請求項１１または１２に記載の携帯通信装置の制御プログラムを記録したコンピュータ読取可能な記録媒体。
【発明の詳細な説明】
【技術分野】
【０００１】
本発明は、例えば複数の電話番号やメールアドレスが利用可能な複数回線対応型の携帯通信装置、その制御方法、その制御プログラム及びコンピュータ読取可能な記録媒体に関する。
【背景技術】
【０００２】
近年、ビジネス用とプライベート用等の異なった利用を目的として複数の携帯電話機を持ち歩く人が多くなってきている。しかしながら、この場合、携帯電話機の携行が煩雑になるという問題がある。そこで、複数の電話番号の割り当てを可能にし、複数の電話番号に対応した複数の回線を使用できる携帯電話機が開発された。
【０００３】
例えば、下掲の特許文献１には、それぞれ個別に電話番号が割り当てられた２つの送受信機部を備えた携帯電話機が開示されている。この携帯電話機では、２つの送受信機部の受信動作を任意に設定でき、複数の携帯電話機に同時に着信した場合にユーザが選択して応答する判断と同等の処理が自動で行われるようになっている。
【先行技術文献】
【特許文献】
【０００４】
【特許文献１】特開２００９−２７２９５３号公報（２００９年１１月１９日公開）
【発明の概要】
【発明が解決しようとする課題】
【０００５】
しかしながら、特許文献１に記載されているような携帯電話機では、自機の使用可能な２つの電話番号、すなわち回線のどちらが利用できるモードなのかを、ユーザはその都度、画面に表示させ確認する必要がある。
【０００６】
また、２つの回線のどちらにおける受信を優先するかを設定できるだけなので、ユーザの送信時に、使用を希望しない回線を誤って使用してしまう可能性がある。
【０００７】
したがって、本発明は、上記課題に鑑みてなされたものであり、その主たる目的は、画面の表示等に頼らなくても、ユーザが使用を希望する回線による送受信を容易に行うことができる携帯通信装置の技術を提供することである。
【課題を解決するための手段】
【０００８】
上記の課題を解決するために、本発明に係る携帯通信装置は、
(1)第１筐体と第２筐体とが互いにスライド可能に連結されており、
(2)異なる通信回線の無線基地局にそれぞれ無線接続されて送信動作又は受信動作を行う複数の送受信部と、
(3)上記送受信部のいずれか１つの受信動作に基づいて出力動作を行い、且つ、上記送受信部のいずれか１つを介した送信動作のための入力動作を行う入出力部と、
(4)上記第１筐体が上記第２筐体に対して特定の方向にスライドした第１状態である場合、上記複数の送受信部のうち、選択された通信回線の送受信部と上記入出力部との間での信号授受を可能とし、非選択の通信回線の送受信部と上記入出力部との間での信号授受を不可能とする制御を行う接続制御部とを備えたことを特徴としている。
【０００９】
上記の構成によれば、第１筐体が上記第２筐体に対して特定の方向にスライドした第１状態に応じて、接続制御部は、選択された通信回線の送受信部と入出力部との間での信号授受を可能にする。
【００１０】
したがって、ユーザは、画面の表示等に頼らなくても、第１筐体と第２筐体を特定の方向にスライドさせるという操作を行うだけで、予め選択しておいた通信回線に限定した送受信が可能になる。また、予め選択しておいた通信回線における着信の待ち受けも可能になる。
【００１１】
すなわち、ユーザは、どの通信回線による送受信が可能であるかを、画面に表示させて確認するという手間を省くことができ、且つ、使用を希望しない通信回線を誤って使用することを防ぐことができる。
【００１２】
上記第１筐体が上記第２筐体に対して特定の方向以外の方向にスライドした第２状態である場合、上記接続制御部は、上記複数の送受信部の全てと上記入出力部との間での信号授受を可能とする制御を行うことを特徴とする。
【００１３】
上記の構成によれば、第２状態では、複数の通信回線のいずれに対しても、通常どおりの通信（電話発着信およびメール送受信等）を行うことができる。
【００１４】
本発明に係る携帯通信装置では、上記接続制御部が、上記入出力部と上記複数の送受信部の１つとの間で、上記第１状態において実行する信号授受を切り替える切替処理を、時間情報に基づいて行うように、上記時間情報を管理する時間管理部を備えたことを特徴とする。
【００１５】
上記の構成によれば、接続制御部は、時間管理部から時間情報を得て、時間に基づいた切替処理を実行する。
【００１６】
時間情報とは、ユーザが複数の通信回線の１つを使用可能とする時間帯を指定する情報であり、１日おける時間帯指定の情報、１週間における曜日指定の情報、１ヶ月期間における日にち指定の情報などを含んでいる。なお、時間情報に規則的な周期性は要求されない。
【００１７】
これにより、利用者のタイムスケジュールや生活スタイルに合わせて、回線の使い分けを行うことができる。
【００１８】
なお、時間情報として、複数種類の時間情報が管理され、ユーザが、上記入出力部に接続された例えば操作部を介して、そのうちの１種類の時間情報を選択できることが好ましく、ユーザが、上記操作部を介して、当該時間情報をカスタマイズできることがさらに好ましい。
【００１９】
本発明に係る携帯通信装置には、
(1)上記第１筐体および第２筐体の一方に、ユーザの入力操作を受け付ける操作部が設けられ、
(2)上記第１筐体が上記第２筐体に対して上記特定の方向以外の方向にスライドした第２状態では、上記操作部が露出し、
(3)上記第１筐体のスライドが上記第１状態から上記第２状態へと変化した場合に、上記接続制御部は、上記第１状態で選択されていた通信回線を使用するモードを、そのまま保持することを特徴とする。
【００２０】
上記の構成によれば、第２状態において、ユーザは、露出した操作部を使用して、通話相手の電話番号を入力したり、メール文を作成したり、その他諸々の操作を行うことができる。
【００２１】
したがって、ユーザが操作部を使えるように第１筐体をスライドさせたときに、第１筐体が特定の方向にスライドした第１状態で選択されていた通信回線をそのまま使用できることは、携帯通信装置の利便性を向上させる効果を生む。
【００２２】
本発明に係る携帯通信装置は、
(1)通信相手の宛先情報を記録するアドレス帳を通信回線ごとに対応付けて記憶するアドレス帳記憶部と、
(2)表示画面とを備え、
(3)上記入出力部は、上記送受信部と上記入出力部との間での信号授受が可能になった通信回線に対応付けられたアドレス帳のみが、上記表示画面に表示されるように、アドレス帳の表示処理を制御することを特徴とする。
【００２３】
上記の構成によれば、使用しない通信回線に対応付けられたアドレス帳を、ユーザが間違えて閲覧してしまうことを防ぐことができる。
【００２４】
本発明に係る携帯通信装置は、
(1)通信回線を使用した発信履歴及び着信履歴を、通信回線ごとに対応付けて記憶する発着信履歴記憶部と、
(2)表示画面とを備え、
(3)上記入出力部は、上記送受信部と上記入出力部との間での信号授受が可能になった通信回線に対応付けられた発信履歴及び着信履歴のみが、上記表示画面に表示されるように、発信履歴及び着信履歴の表示処理を制御することを特徴とする。
【００２５】
上記の構成によれば、使用しない通信回線に対応付けられた発信履歴及び着信履歴を、ユーザが間違えて閲覧してしまうことを防ぐことができる。
【００２６】
本発明に係る携帯通信装置は、上記入出力部は、上記第１状態では、上記送受信部と上記入出力部との間での信号授受が不可能とされた他方の送受信部の着信履歴のみが、さらに上記表示画面に表示されるように、着信履歴の表示処理を制御することがより好ましい。
【００２７】
上記の構成によれば、使用不可能に制御された通信回線における着信履歴を利用者が確認できるので、携帯通信装置の利便性が向上する。例えば、仮に何らかの着信があったことすらわからない場合、相手への応答が遅れてしまうという問題があるが、何らかの着信があったことさえ認識できれば、スライドの状態を切り替えて、少しでも早く相手に連絡することができる。
【００２８】
本発明に係る携帯通信装置は、
(1)上記第１状態で露出し、ユーザの入力操作を受け付ける第１操作部と、
(2)上記第１筐体が上記第２筐体に対して上記特定の方向以外の方向にスライドした第２状態で露出し、ユーザの入力操作を受け付ける第２操作部とを備えたことを特徴とする。
【００２９】
上記の構成によれば、第１状態と第２状態のいずれにおいても、その状態のままで、ユーザは入力操作を行うことが可能になる。したがって、携帯通信装置の利便性が向上する。
【００３０】
なお、第１操作部を介した入力操作と、第２操作部を介した入力操作とは、同等の操作内容であってもよいし、異なった操作内容であってもよい。
【００３１】
異なった操作内容の場合には、第１操作部および第２操作部の構成および機能自体を相違させてもよいし、第１操作部および第２操作部の構成を同じにし、第１操作部および第２操作部に割り当てる機能を、第１状態および第２状態のそれぞれに応じて相違させてもよい。
【００３２】
本発明に係る携帯通信装置では、
(1)上記第１筐体は第１表示画面を備えているとともに、上記第２筐体は第２表示画面を備え、
(2)上記第２筐体は、上記第１筐体の第１表示画面と反対側の背面に取り付けられ、
(3)上記第２表示画面は、上記背面に対面し、
(4)上記第２表示画面が、上記第１操作部および第２操作部としての機能も有していることを特徴とする。
【００３３】
上記の構成によれば、第１筐体を第２筐体に対して特定の方向にスライドさせた第１状態で露出する第２筐体の第２表示画面は、第１操作部として機能する。
【００３４】
一方、第１筐体を第２筐体に対して特定の方向以外の方向にスライドさせた第２状態で露出する第２筐体の第２表示画面は、第２操作部として機能する。
【００３５】
これにより、第２筐体に、操作部としてのハードキーを設ける必要が無くなる。したがって、第１筐体と第２筐体を特定の方向にスライドさせるという操作を行うだけで、予め選択しておいた通信回線に限定した送受信が可能になるという効果を奏する携帯通信装置の薄型化を図ることができる。
【００３６】
本発明に係る携帯通信装置の制御方法は、上記の課題を解決するために、
(1)第１筐体と第２筐体とが互いにスライド可能に連結された携帯通信装置であり、複数の通信回線のそれぞれを使用して送受信を行う通信モードを、上記通信回線のユーザ選択に応じて切り替える接続制御部を備えた携帯通信装置の制御方法であって、
(2)上記接続制御部が、
(2-1)上記第１筐体が上記第２筐体に対して特定の方向にスライドした第１状態かどうかを判定するステップと、
(2-2)上記第１筐体が第１状態にあると判定したときに、上記通信モードを、ユーザが選択した通信回線を使用して送受信を行う通信モードに設定するステップとを実行することを特徴とする。
【００３７】
これにより、ユーザは、画面の表示等に頼らなくても、第１筐体と第２筐体を特定の方向にスライドさせるという操作を行うだけで、予め選択しておいた通信回線に限定した送受信が可能になるという効果を奏する。
【００３８】
上記いずれかの携帯通信装置の各部として、コンピュータを機能させるための携帯通信装置の制御プログラム、上記携帯通信装置の制御方法における各ステップを、コンピュータに実行させるための携帯通信装置の制御プログラム、及び上記制御プログラムを記録したコンピュータ読取可能な記録媒体もまた、本発明の範疇に含まれる。
【発明の効果】
【００３９】
本発明に係る携帯通信装置、その制御方法及びその制御プログラムは、第１筐体が第２筐体に対して特定の方向にスライドした第１状態にある場合に、ユーザが選択した通信回線を使用して送受信を行う通信モードを設定するようになっている。
【００４０】
それゆえ、ユーザは、画面の表示等に頼らなくても、第１筐体と第２筐体を特定の方向にスライドさせるという操作を行うだけで、予め選択しておいた通信回線に限定した送受信が可能になるという効果を奏する。
【図面の簡単な説明】
【００４１】
【図１】実施の形態１に係る携帯電話機の基本構成を示す斜視図であり、（ａ）は通常スライド状態を、（ｂ）はデフォルト状態を、（ｃ）は逆スライド状態を示す。
【図２】実施の形態１に係る携帯電話機の要部構成を示すブロック図である。
【図３】実施の形態１〜４に係る送受信部の記憶部の構成を示すブロック図である。
【図４】実施の形態１における電話の着信時の処理の流れを示すフローチャートである。
【図５】実施の形態１における電話の発信時の処理の流れを示すフローチャートである。
【図６】実施の形態１におけるアドレス帳を閲覧する時の処理も流れを示すフローチャートである。
【図７】実施の形態２に係る携帯電話機の要部構成を示すブロック図である。
【図８】実施の形態２における電話の着信時の処理の流れを示すフローチャートである。
【図９】実施の形態２における電話の発信時の処理の流れを示すフローチャートである。
【図１０】実施の形態２におけるアドレス帳を閲覧する時の処理流れを示すフローチャートである。
【図１１】実施の形態３に係る携帯電話機の要部構成を示すブロック図である。
【図１２】実施の形態３に係るスライド判定部及び判定制御部における処理の流れを示すフローチャートである。
【図１３】実施の形態４に係る携帯電話機の基本構成を示す斜視図であり、（ａ）は通常スライド状態を、（ｂ）はデフォルト状態を、（ｃ）は逆スライド状態を示す。
【発明を実施するための形態】
【００４２】
〔実施の形態１〕
本発明の一実施の形態について図１から図６に基づいて説明すれば、以下のとおりである。本実施の形態に係る携帯電話機１（携帯通信装置）は、複数の通信回線を利用できるスライド式の携帯電話機である。より具体的には、携帯電話機１は、特定の方向にスライドした状態（逆スライド状態；第１状態）である場合に、優先的に使用したい通信回線に対応した電話番号及びメールアドレスのみに基づいて送受信を行うことができる複数回線対応型のスライド式携帯電話機である。
【００４３】
（携帯電話機１の基本構成）
まず、図１を用いて本実施の形態に係る携帯電話機１の基本構成について説明する。図１は、本実施の形態に係る携帯電話機１の基本構成を示す斜視図である。図１の（ａ）は通常スライド状態を、（ｂ）はデフォルト状態を、（ｃ）は上記逆スライド状態を示す。図１の（ａ）〜（ｃ）に示すように、携帯電話機１は、第１筐体２、第２筐体３、表示部４を備えているほか、例えば、スピーカー５、マイク６、操作部７及び簡易操作部７ａなどを備えた構成である。
【００４４】
第１筐体２と第２筐体３とは、一体化した状態に重なり合った状態（デフォルト状態）（図１の（ｂ））から、長手方向の両方向に相互にスライドすることができる。携帯電話機１は、例えば、第１筐体２を第２筐体３に対して一方の方向にスライドさせ、操作部７が露出した状態（上記通常スライド状態；第２状態：図１の（ａ））をとることができる。加えて、携帯電話機１は、第１筐体２を第２筐体３に対して他方の方向（特定の方向）にスライドさせ、簡易操作部７ａが露出した状態（上記逆スライド状態）（図１の（ｃ））をとることもできる。
【００４５】
表示部４は、ユーザに各種情報を視覚的に伝えるための構成であり、例えば、着信通知、メール文、電話番号、時計、サービス圏内／圏外、アドレス帳、スケジュール等を表示することができる。表示部４としては、具体的に、液晶表示装置、発光表示装置等が挙げられる。
【００４６】
また、スピーカー５は、ユーザに携帯電話機１からの情報を音として伝えるための構成であり、着信音を発生させると共に、受話部としての機能を有する。
【００４７】
マイク６は、携帯電話機１へユーザからの情報を音として入力するための構成であり、携帯電話機１の送話部としての機能を有している。
【００４８】
操作部７は、複数のボタンキーを備え、携帯電話機１へのユーザ指示をボタンキーの押下により入力するための構成であり、ユーザが携帯電話機１に備えられた主な機能の操作を行うことができる構成である。
【００４９】
操作部７としては、例えば、送信ボタン、英字／カナ／漢字／数字の変換ボタン、電源のオン／オフボタン、カーソル操作を行うための十文字ボタン、及び通話開始ボタン、通話終了ボタン等のボタンが集合したハードキーボードの形態が挙げられる。
【００５０】
また、簡易操作部７ａは、操作部７よりも少数のボタンキーを備え、操作部７と同様に、携帯電話機１へのユーザ指示をボタンキーの押下により入力するため構成であり、携帯電話機１に備えられた一部の機能の操作を行うことができる構成である。簡易操作部７ａとしては、操作部７と同様に、例えば、ハードキーボードの形態が挙げられる。
【００５１】
また、表示部４、操作部７及び簡易操作部７ａのうち少なくとも一つは、表示機能と操作機能とが一体化したソフトウエアキーボードであってもよい。また、表示部４はタッチパネルであることが好ましい。これにより逆スライド状態においても、電話の発信、メールの作成、メールの送信、メールの確認等の携帯電話機１に備えられた主要な機能の操作を、表示部４を介して容易に行うことができる。
【００５２】
（携帯電話機１の要部構成）
さらに、図２及び図３の（ａ）〜（ｂ）を用いて本実施の形態に係る携帯電話機１の要部構成について説明する。図２は、本実施の形態に係る携帯電話機１の要部構成を示すブロック図である。図３は記憶部の構成を示すブロック図であり、（ａ）は、送受信部１０の記憶部１３の構成を示し、（ｂ）は、送受信部２０の記憶部２３の構成を示している。
【００５３】
図２に示すように、携帯電話機１は、第１送受信部１０、第２送受信部２０、接続制御部３０及び入出力部４０を備えている。
【００５４】
第１送受信部１０は、第１の通信回線の無線基地局に無線接続されて送信動作又は受信動作を行う構成であり、アンテナ１０ａ、無線部１１、送受信制御部１２および記憶部１３を備えている。
【００５５】
第１送受信部１０には、逆スライド状態において使用したい特定の電話番号Ａ及びメールアドレスＡが割り当てられた使い分けモードＡが対応づけられているとする。第１送受信部１０と、逆スライド状態と、使い分けモードＡとの対応付けは、後述する接続制御部３０の記憶部３２に記憶されている。
【００５６】
無線部１１は、送受信制御部１２からの送信信号を変調し無線信号として送信する等の送信動作を行う送信制御部１１ａと、受信した無線信号を復調し受信信号として送受信制御部１２へ送る等の受信動作を行う受信制御部１１ｂを備えている。
【００５７】
受信制御部１１ｂは第１送受信部１０が接続制御部３０を介して入出力部４０と信号接続しているか否かにかかわらず、継続的に受信動作を行う。
【００５８】
送受信制御部１２は、上記送信制御部１１ａまたは受信制御部１１ｂ等と、後述する接続処理部３１との接続の制御を行う構成である。また、送受信制御部１２は、電話番号Ａへの着信時に、着信の情報を着信履歴として記憶部１３の発着信履歴記憶部１３ａ（図３の（ａ））に記憶し、電話番号Ａに基づく発信時に、発信の情報を発信履歴として発着信履歴記憶部１３ａに記憶する。
【００５９】
また、送受信制御部１２は、メールアドレスＡへの電子メール受信時に受信した電子メールの内容及び情報をメール受信履歴としてメール履歴記憶部１３ｂに記憶し、メールアドレスＡからの電子メール送信時に送信した電子メールの内容及び情報を、メール送信履歴としてメール履歴記憶部１３ｂに記憶する。
【００６０】
また、電話番号ＡやメールアドレスＡに基づくアドレス帳の登録は、ユーザにより入出力部４０から接続制御部３０及び送受信制御部１２を介してアドレス帳記憶部１３ｃに記憶できる。さらに、着信履歴、発信履歴、メール受信履歴、メール送信履歴及びアドレス帳は接続制御部３０を介して入出力部４０よりユーザが確認することができる。
【００６１】
第２送受信部２０は、第２の通信回線の無線基地局に無線接続されて送信動作又は受信動作を行う構成であり、第１送受信部１０の構成と同様に、アンテナ２０ａ、無線部２１、送受信制御部２２および記憶部２３を備えている。
【００６２】
なお、電話番号Ａ及びメールアドレスＡの代わりに、逆スライド状態（使い分けモードＡ）において使用を希望しない特定の電話番号Ｂ及びメールアドレスＢが、通常モードＢとして、第２送受信部２０に割り当てられている。第２送受信部２０と、逆スライド状態以外の状態と、通常モードＢとの対応付けもまた、後述する接続制御部３０の記憶部３２に記憶されている。
【００６３】
接続制御部３０は、第１送受信部１０又は第２送受信部２０と入出力部４０との信号の接続を制御する構成であり、接続処理部３１、記憶部３２及び選択設定部３３を備えている。接続制御部３０は、第１筐体２および第２筐体３のスライド状態に応じたモード（使い分けモードＡ及び通常モードＢ）によって異なる処理を行う。モードが、両モードＡ・Ｂのどちらに設定されているかについては、後述するスライド判定部４４によるスライド状態の判定結果に基づいて、接続制御部３０によって、随時、記憶部３２に記憶される。
【００６４】
第１筐体２および第２筐体３が、逆スライド状態以外のスライド状態にあることに応じて、携帯電話機１が通常モードＢに設定された場合、ユーザは、電話を発信する時やメールを送信する時、入出力部４０を介して、使用したい電話番号（Ａ，Ｂのいずれか）又はメールアドレス（Ａ，Ｂのいずれか）を随時選択できる。したがって、ユーザは、選択した電話番号又はメールアドレスに基づいて電話の発信やメールの送信を行うことができる。
【００６５】
この場合、接続制御部３０は、電話を発信する時やメールを送信する時、選択された電話番号又はメールアドレスが割り当てられている第１送受信部又は第２送受信部と入出力部４０とを一時的に接続する。あるいは、接続制御部３０は、電話を発信する時やメールを送信する時、選択された電話番号又はメールアドレスが割り当てられている第１送受信部又は第２送受信部と入出力部４０とが、信号を送受し合えるように、信号の伝送を制御する。
【００６６】
また、接続制御部３０は、第１送受信部１０又は第２送受信部２０に割り当てられた電話番号へのどちらの着信があった場合であっても、着信のあった第１送受信部１０又は第２送受信部２０と入出力部４０との信号授受を可能にする。
【００６７】
一方、第１筐体２および第２筐体３が、逆スライド状態にあることに応じて、携帯電話機１が使い分けモードＡに設定された場合、逆スライド状態において使用したい特定の電話番号Ａ及びメールアドレスＡを予め設定でき、その設定に関する情報を、入出力部４０を介して選択設定部３３により記憶部３２に記憶することができる。なお、接続制御部３０が、選択設定部３３の役割を担っても構わない。
【００６８】
そして、逆スライド状態とした場合、ユーザが予め選択したことによって、記憶部３２に記憶された特定の電話番号Ａ及びメールアドレスＡに基づく情報が、選択設定部３３から接続処理部３１へ送られる。すなわち、接続処理部３１は、入出力部４０と第１送受信部１０との間の信号授受のみを可能にし、第２送受信部２０と入出力部４０との間で信号授受をできないように、制御を行う。
【００６９】
こうして、逆スライド状態では、第１送受信部１０における電話番号Ａに対する着信時には、着信の情報（着信中である旨の情報）が、第１送受信部１０から接続制御部３０を介して、入出力部４０へと伝達され、表示部４およびスピーカー５等を介してユーザに知らされる。着信に対するユーザの応答に関する処理については、後述する。
【００７０】
一方、第２送受信部２０における電話番号Ｂに対する着信時には、着信の有無の情報のみが、送受信部１０から接続制御部３０を介して、入出力部４０へと信号が伝達され、表示部４等を介してユーザに知らされる。ただし、ユーザは、着信に対して応答することはできない。
【００７１】
さらに、逆スライド状態では、発着信履歴記憶部１３ａに記憶された発信履歴Ａ及び着信履歴Ａ、メール履歴記憶部１３ｂに記憶されたメール送信履歴Ａ及びメール受信履歴Ａ、アドレス帳記憶部１３ｃに記憶されたアドレス帳Ａの全てに対して、ユーザの閲覧に制限は無い。したがって、ユーザは、メール送信履歴Ａ及びメール受信履歴Ａとして、メール送受信の日時、メール送受信の相手情報のみならず、メールの本文を閲覧することもできる。
【００７２】
これに対し、逆スライド状態では、非選択の第２送受信部２０と入出力部４０との信号授受は基本的に不可能とされているので、発着信履歴記憶部２３ａに記憶された発信履歴Ｂ及び着信履歴Ｂ、メール履歴記憶部２３ｂに記憶されたメール送信履歴Ｂ及びメール受信履歴Ｂ、アドレス帳記憶部２３ｃに記憶されたアドレス帳Ｂを、ユーザは閲覧できない。
【００７３】
ただし、逆スライド状態であっても、接続制御部３０が送受信制御部２２を制御することにより、非選択の電話番号Ｂに関する発信履歴Ｂ及び着信履歴Ｂを閲覧可能にしておくこともできる。また、メール送信履歴Ｂ及びメール受信履歴Ｂについても、上記と同様の制御により、ユーザはメールの本文を閲覧することはできないが、メール送受信の日時およびメール送受信の相手情報などを閲覧可能にしておくこともできる。これにより、携帯電話機１の利便性が向上する。
【００７４】
入出力部４０は、送受信可能な送受信部１０又は送受信部２０の受信動作に基づいて出力動作を行い、送受信部１０又は送受信部２０の送信動作のための入力動作を行うための構成である。入出力部４０は、入出力制御部４１、出力制御部４２、入力制御部４３、スライド判定部４４、表示部４、スピーカー５、マイク６、操作部７及び簡易操作部７ａを備えている。
【００７５】
入出力制御部４１は、入力制御部４３を介してユーザから入力される信号と、出力制御部を介してユーザへ出力される信号との制御を行う。また、入出力制御部４１は、接続制御部３０から入力される送受信部１０又は送受信部２０の受信動作に基づく受信信号等を出力制御部４２に出力する。さらに、入出力制御部４１は、入力制御部４３から入力された送受信部１０又は送受信部２０の送信動作のための送信信号等を接続制御部３０へ出力する。
【００７６】
出力制御部４２は、送受信可能な送受信部１０又は送受信部２０の受信動作に基づく受信信号等が入出力制御部４１より入力され、表示部４で表示させると共に、スピーカー３４で音声出力させる構成である。
【００７７】
入力制御部４３は、操作部７の操作に基づく操作信号、及びマイク３６での音声入力に基づく音声信号が入力され、送受信可能な送受信部１０又は送受信部２０の送信動作のための送信信号等を入出力制御部４１へ出力するための構成である。
【００７８】
スライド判定部４４は、第１筐体２および第２筐体３のスライド状態を判定する。すなわち、スライド判定部４４は、第１筐体２と第２筐体３とが、通常スライド状態にあるか、デフォルト状態にあるか、逆スライド状態にあるかを判定し、各状態を示す判定信号を入出力制御部４１に出力する。
【００７９】
（携帯電話機１における情報処理の流れ）
本実施の形態に係る携帯電話機１における情報処理の流れを、図４〜６を用いて、説明する。図４は、本実施の形態における電話の着信時の処理の流れを示すフローチャートである。図５は、本実施の形態における電話の発信時の処理の流れを示すフローチャートである。図６は、本実施の形態におけるアドレス帳を閲覧する場合の処理流れを示すフローチャートである。
【００８０】
（電話着信時の処理）
まず、電話の着信時の処理の流れを説明する。図４に示すように、着信の情報が、アンテナ１０ａ又はアンテナ２０ａを介して、対応する送受信部１０又は送受信部２０に入力される（ステップ１０１；以下、Ｓ１０１と略記する）。その入力された着信の情報は、送受信部１０，２０から接続制御部３０の接続処理部３１に入力される。これに応じて、接続処理部３１は、記憶部３２を参照することによって、現在、何れのモード（使い分けモードＡまたは通常モードＢ）の設定がされているのかを判定する（Ｓ１０２）。
【００８１】
通常モードＢが設定されていると接続処理部３１が判定した場合（Ｓ１０２でＮＯ）、着信中である旨の情報が接続処理部３１から入出力部４０に入力され、スピーカー５から着信音を発信するとともに、表示部４に相手情報を表示する（ステップＳ１０６）。
【００８２】
一方、使い分けモードＡが設定されていると接続処理部３１が判定した場合（Ｓ１０２でＹＥＳ）、接続処理部３１は、第１送受信部１０に割り当てられた電話番号Ａへの着信なのか、第２送受信部２０に割り当てられた電話番号Ｂへの着信なのかを判定する（Ｓ１０３）。
【００８３】
第１送受信部１０に割り当てられた電話番号Ａへの着信であった場合（Ｓ１０３でＹＥＳ）、着信中である旨の情報が接続処理部３１から入出力部４０に入力され、スピーカー５から着信音を発信するとともに、表示部４に相手情報を表示する（Ｓ１０６）。
【００８４】
一方、第２送受信部２０に割り当てられた電話番号Ｂへの着信であった場合（Ｓ１０３でＮＯ）、表示部４等を介して、発信者への応答はできない旨の通知がされるように、接続処理部３１が入出力部４０を制御する（Ｓ１０４）。さらに、送受信制御部２２から着信の有無に基づく信号が出力され、記憶部２３に着信履歴として書き込まれる（ステップ１０５）。
【００８５】
上記Ｓ１０６にて、スピーカー５から着信音を発信した後、着信中（着信音が発信されている間）にユーザによって通話開始ボタンが押下されなかった場合（Ｓ１０７でＮＯ）、上述したＳ１０５に処理が移行する。
【００８６】
一方、着信中（着信音が発信されている間）にユーザによって通話開始ボタンが押下された場合（Ｓ１０７でＹＥＳ）、通話が開始され（Ｓ１０８）、通話が終了するとユーザによって通話終了ボタンが押下される（Ｓ１０９）。続いて、送受信制御部１２又は送受信制御部２２により、モードに対応した記憶部１３又は記憶部２３に着信履歴が記憶される（Ｓ１０５）。
【００８７】
尚、上記の各ステップの順序は、あくまでも一例であり、同一の条件において、同一の結果になる限り、順序を入れ替えても構わない。
【００８８】
（電話発信時の処理）
次に、電話発信時の処理の流れを説明する。図５に示すように、まず、ユーザにより通話を希望する発信先の電話番号が操作部７等により入力され（Ｓ２０１）、通話開始ボタンが押下される（Ｓ２０２）。この操作に伴う信号は、入力制御部４３から接続処理部３１に入力される。そして、接続処理部３１は、記憶部３２を参照して、現在、何れのモード（使い分けモードＡ、通常モードＢ）が設定されているのかを判定する（Ｓ２０３）。
【００８９】
使い分けモードＡが設定されていると接続処理部３１が判定すると（Ｓ２０３でＹＥＳ）、電話番号Ａからの発信処理を行う。すなわち、接続処理部３１は、記憶部３２に記憶された情報に基づいて、逆スライド状態（使い分けモードＡ）の際に使用する電話番号が、第１送受信部１０に割り当てられた電話番号Ａであると識別し、入出力部４０と第１送受信部１０と間の信号授受を可能にする（Ｓ２０４）。そして、通話が終了すると、ユーザにより通話終了ボタンが押下され（Ｓ２０５）、送受信制御部１２によって、発信履歴が記憶部１３に記憶される（Ｓ２０６）。
【００９０】
一方、上記Ｓ２０３で、通常モードＢが設定されていると接続処理部３１が判定すると（Ｓ２０３でＮＯ）、電話番号ＡおよびＢのうち、ユーザが使用を希望する電話番号を選択する処理が実行される。すなわち、使用する電話番号ＡおよびＢのいずれかの選択をユーザに促すための表示が表示部４でなされるように、接続処理部３１が入出力部４０を制御する（Ｓ２０７）。
【００９１】
続いて、ユーザによって、第１送受信部１０に割り当てられた電話番号Ａか、第２送受信部２０に割り当てられた電話番号Ｂかが選択される（Ｓ２０８）。そして、接続処理部３１は、選択された電話番号が割り当てられている送受信部（第１送受信部１０又は第２送受信部２０）と入出力部４０との間の信号授受を可能にし、当該送受信部を介して選択された電話番号から発信する（Ｓ２０９）。
【００９２】
通話が終了すると、通話終了ボタンが押下され（Ｓ２０５）、送受信制御部１２又は２２によって、発信履歴が対応する記憶部１３又は２３に記憶される。
【００９３】
尚、上記の各ステップの順序はあくまでも一例であり、同一の条件において、同一の結果になる限り、順序を入れ替えても構わない。
【００９４】
また、電子メールの送信時や受信時も、細部が異なるものの、電話の発信時や着信時と同様に処理される。
【００９５】
（アドレス帳の閲覧制御）
次に、アドレス帳の閲覧を制御する処理の流れを説明する。図６に示すように、ユーザによってアドレス帳の閲覧を希望する旨が操作部７又は簡易操作部７ａなどから入力される（Ｓ３０１）。この入力に応じて、接続処理部３１は、記憶部３２を参照し、現在、何れのモード（使い分けモードＡ、通常モードＢ）の設定がなされているかを判定する（Ｓ３０２）。
【００９６】
使い分けモードＡが設定されていると接続処理部３１が判定すると（Ｓ３０２でＹＥＳ）、接続処理部３１は、記憶部３２に設定された情報に基づいて、逆スライド状態（使い分けモードＡ）の際に、アドレス帳Ａを表示すべきであると識別する。この結果、第１送受信部１０と入出力部４０との間の信号授受が可能になる。
【００９７】
続いて、送受信制御部１２が、アドレス帳記憶部１３ｃからアドレス帳Ａのデータを読み出し、接続処理部３１、入出力制御部４１および出力制御部４２を経て、表示部４にアドレス帳Ａが表示される（Ｓ３０３）。
【００９８】
一方、上記Ｓ３０２で、通常モードＢが設定されていると接続処理部３１が判定すると（Ｓ３０２でＮＯ）、アドレス帳ＡおよびＢのうち、ユーザが閲覧を希望するアドレス帳を選択する処理が実行される。すなわち、アドレス帳ＡおよびＢのいずれかの選択をユーザに促すための表示が表示部４でなされるように、接続処理部３１が入出力部４０を制御する（ステップＳ３０４）。
【００９９】
続いて、ユーザによって、アドレス帳Ａ及びアドレス帳Ｂの一方の選択が行われる（Ｓ３０５）。アドレス帳Ａを希望している旨が、操作部７等から入力された場合（Ｓ３０５でＹＥＳ）、接続処理部３１は、第１送受信部１０と入出力部４０との間の信号授受を可能にする。この結果、上記と同様に、表示部４にアドレス帳Ａが表示される（Ｓ３０３）。
【０１００】
また、アドレス帳Ｂを希望している旨が、操作部７等から入力された場合（Ｓ３０５でＮＯ）、接続処理部３１は、第２送受信部２０と入出力部４０との間の信号授受を可能にする。この後、送受信制御部２２が、アドレス帳記憶部２３ｃからアドレス帳Ｂのデータを読み出し、接続処理部３１、入出力制御部４１および出力制御部４２を経て、表示部４にアドレス帳Ｂが表示される（Ｓ３０６）。
【０１０１】
尚、上記の各ステップの順序はあくまでも一例であり、同一の条件において、同一の結果になる限り、順序を入れ替えても構わない。
【０１０２】
〔実施の形態２：時間別による設定〕
次に、本発明の他の実施の形態について図７から図１０に基づいて説明すれば、以下のとおりである。なお、上記実施の形態で説明した構成と同様の機能を有する構成には同一の符号を付して、その説明を省略する。また、下記で説明していない構成や作用は全て実施の形態１と同様であるとする。
【０１０３】
（携帯電話機１ａの要部構成）
図７は、本実施の形態に係る携帯電話機１ａの要部構成を示すブロック図である。図７に示すように、本実施の形態では、上述した実施の形態１の構成に加えて、時間情報を管理する時間管理部３４が新たに設けられている。
【０１０４】
ここで言う時間情報とは、ユーザが複数の通信回線の１つを使用可能とする時間帯を指定する情報であり、１日における時間帯指定の情報、１週間における曜日指定の情報、１ヶ月期間における日にち指定の情報などを含んでいる。なお、時間情報に規則的な周期性は要求されない。
【０１０５】
上記時間管理部３４は、操作部７を介してユーザが指示した時間情報を記憶部３２に記憶させ、上記接続処理部３１から問い合わせを受けるたびに、時間情報を接続処理部３１へ送る。具体的には、時間管理部３４は、記憶部３１に登録された第１種の時間帯と第２種の時間帯との振り分け情報に基づき、現在がどちらの時間帯に該当するのかの時間情報を、接続処理部３１からの要求に応じて、接続処理部３１へ送る。
【０１０６】
また、第１種の時間帯及び第２種の時間帯では、それぞれ第１の通信回線と第２の通信回線のどちらを使用するのかに関する回線指定情報が設定されている。その回線指定情報は、操作部７を介してユーザにより入力され、接続処理部３０が受け取り、記憶部３２に記憶される。
【０１０７】
これにより、上記接続制御部３０は、上記入出力部４０と各送受信部１０又は２０との間で、逆スライド状態において実行する信号授受を切り替える切替処理を、上記時間情報に基づいて行うことができる。
【０１０８】
この結果、ユーザは、タイムスケジュールや生活スタイルに合わせて、通信回線の使い分けを行うことができる。
【０１０９】
より具体的には、携帯電話機１が２つの通信回線に対応している場合には、その通信回線の数に応じて、将来の時間を予め第１種の時間帯と第２種の時間帯とに振り分けることができる。例えば、逆スライド状態において、第１種の時間帯では、第１の通信回線を使用するように、電話番号Ａ及びメールアドレスＡのみの使用を可能とする。また、第２種の時間帯では、第２の通信回線を使用するように、電話番号Ｂ及びメールアドレスＢのみの使用を可能とする。
【０１１０】
これにより、例えば、平日にはビジネス用に、第１の通信回線を使用するモードが設定され、休日にはプライベート用に、第２の通信回線を使用するモードが設定されるようにすることができる。
【０１１１】
（携帯電話機１ａにおける処理の流れ）
本実施の形態に係る携帯電話機１ａにおける処理の流れを、図８〜１０を用いて、説明する。図８は、本実施の形態における電話着信時の処理の流れを示すフローチャートである。図９は、本実施の形態における電話発信時の処理の流れを示すフローチャートである。図１０は、本実施の形態におけるアドレス帳を閲覧する場合の処理の流れを示すフローチャートである。
【０１１２】
（電話着信時の処理）
まず、電話着信時の処理の流れを説明する。前提として、逆スライド状態では、第１種の時間帯において第１の通信回線（電話番号ＡおよびメールアドレスＡ）の使用が設定され、第２種の時間帯において第２の通信回線（電話番号ＢおよびメールアドレスＢ）の使用が設定されているとする。
【０１１３】
図８に示すように、着信の情報が入力されるＳ４０１からＳ４０２のＮＯを経て、Ｓ４０５〜Ｓ４１０に至るまでの処理は、上述した実施の形態１のＳ１０１からＳ１０２のＮＯを経て、Ｓ１０６〜Ｓ１０９をさらに経て、Ｓ１０５へ至るまでの処理と全く同様である。
【０１１４】
まず、着信後のモード判定の結果として、使い分けモードＡが判定された場合（Ｓ４０２でＹＥＳ）、接続処理部３１は、時間管理部３４へ時間情報を要求する。これに応じて、時間管理部３４は、記憶部３２から時間情報を読み出し、接続処理部３１へ送る。
【０１１５】
接続処理部３１は、時間情報から、現在が第１種の時間帯に属しているかどうかを判定する（Ｓ４０３）。現在が第１種の時間帯に属していると接続処理部３１が判定した場合（Ｓ４０３でＹＥＳ）、続いて、接続処理部３１は、第１種の時間帯で使用が設定された第１の通信回線による着信かどうか、すなわち、電話番号Ａへの着信かどうかを判定する（Ｓ４０４）。
【０１１６】
電話番号Ａへの着信であると接続処理部３１が判定した場合（Ｓ４０４でＹＥＳ）、着信に対する応答処理が行われる。この応答処理は、Ｓ４０５〜Ｓ４１０へ至るまでの処理なので、その説明を省略する。
【０１１７】
一方、電話番号Ａへの着信ではないと接続処理部３１が判定した場合（Ｓ４０４でＮＯ）、表示部４等を介して、発信者への応答はできない旨の通知がされるように、接続処理部３１が入出力部４０を制御する（Ｓ４０９）。Ｓ４０９に続くＳ４１０の処理については、図４に示すＳ１０５の処理と同じである。
【０１１８】
Ｓ４０３において、現在が第１種の時間帯に属していないと接続処理部３１が判定した場合（Ｓ４０３でＮＯ）、続いて、接続処理部３１は、第２種の時間帯で使用が設定された第２の通信回線による着信かどうか、すなわち、電話番号Ｂへの着信かどうかを判定する（Ｓ４１１）。
【０１１９】
電話番号Ｂへの着信であると接続処理部３１が判定した場合（Ｓ４１１でＹＥＳ）、着信に対する応答処理が行われる。この応答処理は、Ｓ４１２〜Ｓ４１５を経て、Ｓ４１０へ至るまでの処理であり、Ｓ４０５〜Ｓ４１０に至るまでの処理と全く同じである。
【０１２０】
一方、電話番号Ｂへの着信ではないと接続処理部３１が判定した場合（Ｓ４１１でＮＯ）、表示部４等を介して、発信者への応答はできない旨の通知がされるように、接続処理部３１が入出力部４０を制御し（Ｓ４０９）、上記Ｓ４１０へ処理が進む。
【０１２１】
以上で、電話着信の処理が終了する。尚、上記の各ステップの順序はあくまでも一例であり、同一の条件において、同一の結果になる限り、順序を入れ替えても構わない。
【０１２２】
（電話発信時の処理）
次に、電話発信時の処理の流れを説明する。図９に示すフローチャートにおいて、実施の形態１の電話発信時のフローチャート（図５）との違いは、現在が第１種の時間帯に属しているかどうかの判定処理を行う点と、その判定処理の結果に応じた電話番号による発信を行う点である。
【０１２３】
したがって、実施の形態１の電話発信時のフローチャートと異なる処理についてのみ説明する。
【０１２４】
図９に示すように、使い分けモードＡが設定されているかどうかを接続処理部３１が判定するＳ５０３の後に、現在が第１種の時間帯に属しているかどうかを、接続処理部３１が、時間情報に基づいて判定する（Ｓ５０４）。このＳ５０４における判定処理は、図８のＳ４０３の判定処理と同じであり、既に説明したとおりである。
【０１２５】
Ｓ５０４で、現在が第１種の時間帯に属していると接続処理部３１が判定した場合（Ｓ５０４でＹＥＳ）、第１の通信回線を用いた発信処理が実行される。すなわち、電話番号Ａからの発信が行われる（Ｓ５０５）。
【０１２６】
一方、Ｓ５０４で、現在が第１種の時間帯に属していないと接続処理部３１が判定した場合（Ｓ５０４でＮＯ）、第２の通信回線を用いた発信処理が実行される。すなわち、電話番号Ｂからの発信が行われる（Ｓ５０８）。
【０１２７】
その他のＳ５０１〜Ｓ５０３，Ｓ５０６，Ｓ５０７，Ｓ５０９〜Ｓ５１１の処理は、図５のＳ２０１〜Ｓ２０３，Ｓ２０５，Ｓ２０６，Ｓ２０７〜Ｓ２０９の処理にそれぞれ対応し、各処理内容について、既に説明したとおりである。
【０１２８】
尚、上記の各ステップの順序はあくまでも一例であり、同一の条件において、同一の結果になる限り、順序を入れ替えても構わない。
【０１２９】
また、電子メールの送信時や受信時も、細部が異なるものの、電話の発信時や着信時と同様に処理される。
【０１３０】
（アドレス帳の閲覧制御）
次に、アドレス帳の閲覧を制御する処理の流れを説明する。図１０に示すフローチャートにおいて、実施の形態１におけるアドレス帳の閲覧制御のフローチャート（図６）との違いは、現在が第１種の時間帯に属しているかどうかの判定処理を行う点と、その判定処理の結果に応じたアドレス帳の閲覧を可能にする点である。
【０１３１】
したがって、図６のフローチャートと異なる処理についてのみ説明する。
【０１３２】
図１０に示すように、使い分けモードＡが設定されているかどうかを接続処理部３１が判定するＳ６０２の後に、現在が第１種の時間帯に属しているかどうかを、接続処理部３１が、時間情報に基づいて判定する（Ｓ６０３）。このＳ６０３における判定処理は、図６のＳ３０２の判定処理と同じであり、既に説明したとおりである。
【０１３３】
Ｓ６０３で、現在が第１種の時間帯に属していると接続処理部３１が判定した場合（Ｓ６０３でＹＥＳ）、接続処理部３１は、記憶部３２に設定された情報に基づいて、アドレス帳Ａを表示すべきであると識別する。
【０１３４】
この判定に基づいて、表示部４にアドレス帳Ａを表示するＳ６０４の処理は、図６のＳ３０３の処理と同じである。
【０１３５】
一方、Ｓ６０３で、現在が第１種の時間帯に属していないと接続処理部３１が判定した場合（Ｓ６０３でＮＯ）、接続処理部３１は、記憶部３２に設定された情報に基づいて、第２種の時間帯に対応したアドレス帳Ｂを表示すべきであると識別する。
【０１３６】
この判定に基づいて、表示部４にアドレス帳Ｂを表示するＳ６０８の処理は、図６のＳ３０６の処理と同じである。
【０１３７】
その他のＳ６０１，Ｓ６０２，Ｓ６０５〜Ｓ６０７の処理は、図６のＳ３０１，Ｓ３０２，Ｓ３０４〜Ｓ３０６の処理にそれぞれ対応し、各処理内容について、既に説明したとおりである。
【０１３８】
尚、上記の各ステップの順序はあくまでも一例であり、同一の条件において、同一の結果になる限り、順序を入れ替えても構わない。
【０１３９】
上記で説明は、アドレス帳を閲覧する時の流れであるが、発信履歴及び着信履歴、メール送信履歴及びメール受信履歴等も同様な流れで閲覧制御することが可能である。
【０１４０】
〔実施の形態３：スライド状態の判定保持〕
次に、本発明のさらに他の実施の形態について図１１及び１２に基づいて説明すれば、以下のとおりである。なお、上記実施の形態で説明した構成と同様の機能を有する構成には同一の符号を付して、その説明を省略する。また、下記で説明していない構成や作用は全て実施の形態１と同様であるとする。
【０１４１】
本実施の形態では、携帯電話機１の状態が、逆スライド状態から逆スライド状態以外の状態（デフォルト状態や通常スライド状態等）に移行した場合、逆スライド状態に対して設定された第１の通信回線を使用するモードを、そのまま維持するようになっている。
【０１４２】
実施の形態１の構成において、ユーザが携帯電話機１に備えられた主な機能の操作を、通常スライド状態においてのみ露出する操作部７でしか行えない場合、逆スライド状態では、操作部７を使用できないため、主な機能の操作を行うことができない。
【０１４３】
そこで、上記モードを維持する機能を携帯電話機１に付加することにより、第１の通信回線を使用する設定を変えることなく、操作部７による入力操作を可能にすることができる。したがって、ユーザは、一時的に、携帯電話機１の状態を逆スライド状態から通常スライド状態に移行させ、電話番号Ａ又はメールアドレスＡに基づく電話の発信、電子メールの送信又はアドレス帳Ａの閲覧などを通常どおりに行うことができるようになる。
【０１４４】
（携帯電話機１ｂの要部構成）
さらに、図１１及び図３（ａ）〜（ｂ）を用いて本実施の形態に係る携帯電話機１ｂの要部構成について説明する。図１１は、本実施の形態の携帯電話機１ｂの要部構成を示すブロック図である。図１１に示すように、入出力制御部４１とスライド判定部４４との間に判定制御部４５が加えられている点以外は、実施の形態１と同一の構成である。
【０１４５】
携帯電話機１の状態が、逆スライド状態から逆スライド状態以外の状態（デフォルト状態や通常スライド状態等）へ移行することを、以下では、単に状態移行と呼ぶ。判定制御部４５は、その状態移行が発生したかどうかを判定し、その状態移行が発生したことを判定した場合に、携帯電話機１の状態は逆スライド状態であることを示す信号を、接続制御部３０に対して出力する。
【０１４６】
なお、ユーザは、操作部７を介して、逆スライド状態の維持を解除する指示を与えることができる。この指示をユーザが入力すると、第１の通信回線を使用するモードは解除され、第２の通信回線を使用するモードが有効になる。
【０１４７】
（携帯電話機１における情報処理の流れ）
上記スライド判定部４４及び判定制御部４５における情報処理の流れを、図１２を用いて説明する。図１２は、本実施の形態に係る判定制御部４５が、スライド判定部４４によるスライド状態の判定結果を、接続処理部３１へ伝えるスライド状態通知処理の流れを示すフローチャートである。
【０１４８】
接続処理部３１は、判定制御部４５からスライド状態を通知されると、その通知されたスライド状態に対応した使い分けモードＡ又は通常モードＢの設定を、記憶部３２に随時記憶させる。
【０１４９】
図１２に示すように、まず、判定制御部４５は、スライド判定部４４から、スライド状態の変化を示す信号を受け取ったかどうかを判定する（Ｓ７０１）。この判定は、例えば、スライド判定部４４が、逆スライド状態を示すローレベルの信号を出力するとともに、逆スライド状態以外の状態を示すハイレベルの信号を出力するように、スライド判定部４４を構成し、判定制御部４５が、当該信号のレベル変化を検知することによって実現できる。
【０１５０】
スライド状態に変化が無ければ（Ｓ７０１でＮＯ）、判定制御部４５はスライド状態の変化の発生を待ち受ける。スライド状態に変化が有った場合（Ｓ７０１でＹＥＳ）、処理はＳ７０２へ移行する。
【０１５１】
Ｓ７０２では、判定制御部４５は、例えば、上記のように、スライド判定部４４が、ローレベルからハイレベルに変化した信号を出力したかどうかを判定する。Ｓ７０２の判定結果がＮＯであれば、スライド状態通知処理は終了する。一方、Ｓ７０２の判定結果がＹＥＳであれば、判定制御部４５は、判定制御部４５が逆スライド状態以外の状態を示すハイレベルの信号を出力しているにもかかわらず、逆スライド状態であることを示す信号を、接続処理部３１に対して出力する（Ｓ７０３）。
【０１５２】
これにより、接続処理部３１は、現在の状態が逆スライド状態であることを認識するので、逆スライド状態に対して設定された使い分けモードＡをそのまま維持し、記憶部３２に記憶されたモードの設定を書き換えない。
【０１５３】
以上で、判定制御部４５によるスライド状態通知処理は全て終了する。
【０１５４】
〔実施の形態４〕
次に、本発明のさらに他の実施の形態について図１３に基づいて説明すれば、以下のとおりである。なお、上記実施の形態で説明した構成と同様の機能を有する構成には同一の符号を付して、その説明を省略する。また、下記で説明していない構成や作用は全て実施の形態１と同様である。
【０１５５】
本実施の形態では、少なくとも第２筐体にタッチパネルが設けられ、上記逆スライド状態で、そのタッチパネルが露出し、ユーザの入力操作を受け付けるとともに、上記通常スライド状態においても、そのタッチパネルが露出し、ユーザの入力操作を同様に受け付けることができるようになっている。
【０１５６】
（携帯電話機の外観）
図１３は、本実施の形態に係る携帯電話機１ｃの外観を示す斜視図であり、（ａ）は通常スライド状態を示し、（ｂ）はデフォルト状態を示し、（ｃ）は逆スライド状態を示している。
【０１５７】
図１３に示すように、携帯電話機１ｃは、第１筐体１０２、第２筐体１０３、マイク１０６及びスピーカー１０７を備えている。
【０１５８】
図１３の（ａ）（ｃ）に示すように、第２筐体１０３には、タッチパネルとして構成された第１表示操作部１０４ａおよび第２表示操作部１０４ｂが設けられている。なお、第１筐体１０２に設けた表示部をタッチパネルで構成し、第３表示操作部１０４ｃとしてもよい。
【０１５９】
より具体的には、第２筐体１０３は、第１筐体１０２の第３表示操作部１０４ｃと反対側の背面に取り付けられ、第１表示操作部１０４ａおよび第２表示操作部１０４ｂは、上記背面に対面している。
【０１６０】
上記の構成により、図１３の（ｃ）に示すように、第１表示操作部１０４ａは、逆スライド状態において露出する。したがって、ユーザは、逆スライド状態に対して設定された第１の通信回線を使用し、電話番号Ａ又はメールアドレスＡを用いた送受信の操作を、第１表示操作部１０４ａを介して行うことができる。
【０１６１】
一方、図１３の（ａ）に示すように、第２表示操作部１０４ｂは、通常スライド状態において露出する。したがって、ユーザは、通常スライド状態に対して設定された第２の通信回線を使用し、電話番号Ｂ又はメールアドレスＢを用いた送受信の操作を、第２表示操作部１０４ｂを介して行うことができる。
【０１６２】
これにより、逆スライド状態と通常スライド状態のいずれにおいても、その状態のままで、ユーザは入力操作を行うことが可能になる。したがって、携帯通信装置１ｃの利便性が向上する。
【０１６３】
なお、第１表示操作部１０４ａを介した入力操作と、第２表示操作部１０４ｂを介した入力操作とは、同等の操作内容であってもよいし、異なった操作内容であってもよい。
【０１６４】
異なった操作内容の場合には、第１表示操作部１０４ａおよび第２表示操作部１０４ｂの構成および機能自体を相違させてもよいし、第１表示操作部１０４ａおよび第２表示操作部１０４ｂの構成を同じにし、第１表示操作部１０４ａおよび第２表示操作部１０４ｂに割り当てる機能を、逆スライド状態および通常スライド状態のそれぞれに応じて相違させてもよい。
【０１６５】
さらに、第１表示操作部１０４ａの露出面積と、第２表示操作部１０４ｂの露出面積とが均等になるように、第１筐体１０２と第２筐体１０３との相対的なスライド状態が規定されていてもよい。
【０１６６】
この構成は、第１表示操作部１０４ａを介した入力操作と、第２表示操作部１０４ｂを介した入力操作とを同等の操作内容にデザインするのに好適である。
【０１６７】
さらに、第１筐体１０２の表示部を、タッチパネルとして構成された第３表示操作部１０４ｃとすれば、デフォルト状態においても、ユーザは第３表示操作部１０４ｃを介した入力操作が可能になる。さらに、デフォルト状態以外でも、第１表示操作部１０４ａおよび第２表示操作部１０４ｂを用いた入力操作とは別種の入力操作を、第３表示操作部１０４ｃを介して行うことも可能になる。
【０１６８】
最後に、携帯電話機１の各ブロック、特に第１送受信部１０、第２送受信部２０および接続制御部３０と、入出力部４０の入出力制御部４１、出力制御部４２、入力制御部４３、スライド判定部４４及び判定制御部４５とは、ハードウェアロジックによって構成してもよいし、次のようにＣＰＵを用いてソフトウェアによって実現してもよい。
【０１６９】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等で構成された記憶部３２、あるいは記録媒体などを備えている。
【０１７０】
そして、本発明の目的は、上述した機能を実現するソフトウェアである形態電話機１の制御プログラムのプログラムコード（実行形式プログラム、中間コードプログラム、ソースプログラム）をコンピュータで読み取り可能に記録した記録媒体を、携帯電話機１に供給し、そのコンピュータ（またはＣＰＵやＭＰＵ）が記録媒体に記録されているプログラムコードを読み出し実行することによっても、達成可能である。
【０１７１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７２】
また、携帯電話機１を通信ネットワークと接続し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７４】
本発明は、異なった利用を目的として複数の電話番号及びメールアドレスの使い分けが可能な携帯電話機のように、複数の通信回線に対応した携帯通信装置全般に利用することができる。
【符号の説明】
【０１７５】
１    携帯電話機（携帯通信装置）
２    第１筐体
３    第２筐体
４    表示部（表示画面）
７    操作部
１０    第１送受信部（選択された通信回線の送受信部）
１３ａ  発着信履歴記憶部（発着信履歴記憶部）
１３ｃ  アドレス帳記憶部（アドレス帳記憶部）
２０    第２送受信部（非選択の通信回線の送受信部）
２３ａ  発着信履歴記憶部（発着信履歴記憶部）
２３ｃ  アドレス帳記憶部（アドレス帳記憶部）
３０    接続制御部
３２    記憶部（コンピュータ読取可能な記録媒体）
３４    時間管理部
４０    入出力部
１０４ａ  第１表示操作部（第１操作部、第２表示画面）
１０４ｂ  第２表示操作部（第２操作部、第２表示画面）
１０４ｃ  第３表示操作部（第１表示画面）
【図１】
2013201717.tif 000003
【図２】
2013201717.tif 000004
【図３】
2013201717.tif 000005
【図４】
2013201717.tif 000006
【図５】
2013201717.tif 000007
【図６】
2013201717.tif 000008
【図７】
2013201717.tif 000009
【図８】
2013201717.tif 000010
【図９】
2013201717.tif 000011
【図１０】
2013201717.tif 000012
【図１１】
2013201717.tif 000013
【図１２】
2013201717.tif 000014
【図１３】
2013201717.tif 000015